(57)【要約】【課題】台座部と蓋部とを確実に固定することができる薬剤揮散容器を提供する。【解決手段】下端が開口し内部に薬剤２を収納可能４０な空間を有し、周壁４１に揮散孔４２を有する蓋部４と、薬剤２を載置し、薬剤２を収納した蓋部４の下端開口を塞ぐ台座部７と、台座部７の周縁と係合し、台座部７上に蓋部４を固定するリング状部材５とを備える。蓋部４の下端開口の周縁にはフランジ部４５が設けられている。リング状部材５は、台座部７の上面とでフランジ部４５を上下から挟持する。台座部７の保持支柱７３には、蓋部４の収納空間４０の内外を連通する連通部３８が設けられている。台座部７の上面には、堰部３６の周囲に、リング状のパッキン７０が設けられている。リング状部材５は、台座部７との係合時に、リング状部材５の下端部が台座部７の下端部よりも下方に突き出ており、リング状部材５には、連通部３８と通気可能な通気孔８が設けられている。【選択図】図２５
2014050666.tif 000002
【特許請求の範囲】
【請求項１】
下端が開口し内部に薬剤を収納可能な空間を有し、周壁に薬剤を揮散させる揮散孔を有する蓋部と、
前記薬剤を載置するとともに、前記薬剤を収納した前記蓋部の下端開口を塞ぐ台座部と、
前記台座部の周縁と係合し、前記台座部上に前記蓋部を固定するリング状部材と、を備え、
前記蓋部の下端開口の周縁には外方に延出するフランジ部が設けられ、
前記リング状部材は、前記台座部の上面とで前記フランジ部を上下から挟持することを特徴とする薬剤揮散容器
【請求項２】
前記台座部には、前記蓋部の収納空間の内外を連通する連通部が設けられている請求項１に記載の薬剤揮散容器。
【請求項３】
前記台座部には、上面から突き出る環状のコンタクトリングが設けられており、
前記フランジ部は、前記コンタクトリングと前記リング状部材とで上下から挟持される請求項１または２に記載の薬剤揮散容器。
【請求項４】
前記台座部の上面には、リング状のパッキンが設けられており、
前記フランジ部は、前記パッキンを介して前記台座部と前記リング状部材とで上下から挟持される請求項１または２に記載の薬剤揮散容器。
【請求項５】
前記台座部には、前記台座部の上面から突き出て前記薬剤を貫通する保持支柱が設けられており、
前記保持支柱は、下端が開口した筒状体からなり、前記連通部は、前記保持支柱に設けられている請求項２〜４のいずれかに記載の薬剤揮散容器。
【請求項６】
前記リング状部材は、前記台座部との係合時に、前記リング状部材の下端部が前記台座部の下端部よりも下方に突き出ており、
前記リング状部材には、前記連通部と通気可能な通気孔が設けられている請求項５に記載の薬剤揮散容器。
【請求項７】
前記台座部には、前記台座部の上面から突き出て前記蓋部の内壁面と対向する環状の堰部が設けられている請求項１〜６のいずれかに記載の薬剤揮散容器。
【請求項８】
前記連通部は、前記コンタクトリングに設けられている請求項３に記載の薬剤揮散容器。
【請求項９】
前記台座部の上面には、前記薬剤の周囲に、前記薬剤から吐き出されて遊離した水分を貯留するための貯水溝が１つまたは複数設けられている請求項８に記載の薬剤揮散容器。
【請求項１０】
前記台座部には、前記台座部の上面から突き出て前記蓋部の内壁面と対向する環状の堰部が設けられている請求項９に記載の薬剤揮散容器。
【請求項１１】
前記１つまたは複数の貯水溝は、前記コンタクトリングと前記堰部との間に設けられている請求項１０に記載の薬剤揮散容器。
【請求項１２】
前記台座部は、前記フランジ部を囲繞する周壁部を有し、前記周壁部の下端部は、前記台座部の下面よりも突き出ており、かつ、前記リング状部材の係合時に前記リング状部材の下端部よりも下方に突き出ている請求項８〜１１のいずれかに記載の薬剤揮散容器。
【請求項１３】
前記台座部および前記リング状部材は、雌ネジ部および雄ネジ部の螺合により互いに装着され、
前記台座部の下面には、前記台座部および前記リング状部材を装着する回転方向に向けて深く傾斜する溝が１つまたは複数設けられている請求項１〜１２のいずれかに記載の薬剤揮散容器。
【発明の詳細な説明】
【技術分野】
【０００１】
本発明は、芳香剤、消臭剤などの種々の揮散性を有する薬剤を揮散させる薬剤揮散容器に関する。
【背景技術】
【０００２】
室内や自動車などの空間の臭気による不快感をなくし、快適な空間を生み出すために、薬剤を自然に揮散させる薬剤揮散容器が広く使用されている。この薬剤揮散容器には、ゲル状、固形状、液状など、種々の薬剤が用いられており、その中で保形性のあるゲル状薬剤を用いた薬剤揮散容器として、例えば特許文献１に記載のものが知られている。この特許文献１に記載の薬剤揮散容器は、図３１（ａ）、（ｂ）に示すように、ゲル状薬剤１００を載置する台座部１０１を有し、下端が開口するカップ状の蓋部１０２により薬剤１００が覆われた構成となっている。蓋部１０２の周壁１０３には揮散孔１０４が設けられ、蓋部１０２内に収納された薬剤１００が徐々に揮散することにより、揮散した薬剤が揮散孔１０４から外部に放出され、薬効が得られる。
【先行技術文献】
【特許文献】
【０００３】
【特許文献１】実公昭５７−１９５０号公報
【発明の概要】
【発明が解決しようとする課題】
【０００４】
しかしながら、上記した特許文献１に記載の薬剤揮散容器では、蓋部１０２の下端開口内に台座部１０１を嵌合することで台座部１０１と蓋部１０２とを固定するように構成されているため、薬剤揮散容器が倒れたりすると、容易に台座部１０１と蓋部１０２との固定が外れ、台座部１０１と蓋部１０２との隙間から内部のゲル状薬剤１００から吐き出されて遊離した水分の一部が漏れ出してしまうという課題があった。また、蓋部１０２内が台座部１０１により完全に密閉されていると、使用前に蓋部１０２内の酸素が消費されることで、蓋部１０２内が減圧し、その結果、蓋部１０２の周壁１０３の一部が凹むという課題もある。
【０００５】
本発明は、上記した課題に着目してなされたもので、台座部と蓋部とを確実に固定することができる薬剤揮散容器を提供することを目的とする。
【課題を解決するための手段】
【０００６】
本発明の上記目的は、下端が開口し内部に薬剤を収納可能な空間を有し、周壁に薬剤を揮散させる揮散孔を有する蓋部と、前記薬剤を載置するとともに、前記薬剤を収納した前記蓋部の下端開口を塞ぐ台座部と、前記台座部の周縁と係合し、前記台座部上に前記蓋部を固定するリング状部材と、を備え、前記蓋部の下端開口の周縁には外方に延出するフランジ部が設けられ、前記リング状部材は、前記台座部の上面とで前記フランジ部を上下から挟持することを特徴とする薬剤揮散容器により達成される。
【０００７】
上記構成の薬剤揮散容器によれば、蓋部の下端開口を塞ぐ台座部に対して上方からリング状部材を被せ、リング状部材と台座部の周縁とを係合させることにより、蓋部内を密閉した状態で蓋部を台座部上に固定することができる。このとき、蓋部は、フランジ部が台座部の上面とリング状部材とで上下から挟持されているので、蓋部を確実に台座部に固定できる。よって、誤って薬剤揮散容器が倒れたりした場合でも、台座部と蓋部との固定が外れることがなく、また、蓋部内に収納された薬剤から吐き出されて遊離した水分の一部が外部に漏れることを抑制・防止できる。また、フランジ部が台座部の上面とリング状部材とで挟持されることで、蓋部内を良好に密閉することができる。薬剤揮散容器を使用開始するときには、揮散孔を介して蓋部内に収納された薬剤を徐々に外部に揮散させることにより、薬剤の薬効が得られる。
【０００８】
上記構成の薬剤揮散容器において、前記台座部には、前記蓋部の収納空間の内外を連通する連通部が設けられていることが好ましい。上記構成の薬剤揮散容器においては、使用前に蓋部内の酸素が消費されることで、蓋部内が減圧し、その結果、蓋部の一部が凹んでしまう。蓋部の一部が凹むと、薬剤揮散容器の見栄えが悪くなり、薬剤が蓋部内に未だ残った未使用の状態で薬剤揮散容器が廃棄処分されてしまうような無駄が生じることがある。この構成の薬剤揮散容器によれば、台座部に蓋部の収納空間の内外を連通する連通部が設けられ、連通部を介して収納空間内外の空気の流通が可能になっているので、使用前に蓋部内が減圧して蓋部の一部が凹むことを防止できる。その結果、上記した問題点を解決することができる。
【０００９】
また、前記台座部の上面には、上面から突き出る環状のコンタクトリングが設けられており、前記フランジ部は、前記コンタクトリングと前記リング状部材とで上下から挟持されることが好ましい。この実施態様によれば、台座部の上面にコンタクトリングを設けることで、蓋部のフランジ部がコンタクトリングの上面とリング状部材とで強固に挟持されるので、蓋部を台座部上にしっかりと液密に固定することができる。
【００１０】
なお、台座部の上面にコンタクトリングを設けることに代えて、台座部の上面にリング状のパッキンを設け、フランジ部を、パッキンを介して台座部とリング状部材とで上下から挟持するように構成してもよい。この実施態様によれば、台座部の上面にパッキンを設けることで、蓋部のフランジ部がパッキンと当接するので、蓋部を台座部上により液密に固定することができる。
【００１１】
上記構成の薬剤揮散容器の好ましい一実施態様においては、前記台座部には、前記台座部の上面から突き出て前記薬剤を貫通する保持支柱が設けられており、前記保持支柱は、下端が開口した筒状体からなり、前記連通部は、前記保持支柱に設けられていることを特徴としている。この実施態様によれば、蓋部を台座部上に液密に固定した状態で、蓋部の収納空間の内外を連通することができる。
【００１２】
この実施態様において、前記リング状部材は、前記台座部との係合時に、前記リング状部材の下端部が前記台座部の下端部よりも下方に突き出ており、前記リング状部材には、前記連通部と通気可能な通気孔が設けられていることが好ましい。この実施態様によれば、台座部とリング状部材との係合時には、リング状部材の下端部が台座部の下端部よりも下方に突き出るため、薬剤揮散容器を台などの上に置いた際に、台座部が宙に浮き、連通部が閉じられるのが防止されるうえ、通気孔を介してリング状部材の内外が通気することで、蓋部の内外の空気の連通が良好になる。
【００１３】
この実施態様において、前記台座部には、前記台座部の上面から突き出て前記蓋部の内壁面と対向する環状の堰部が設けられていることが好ましい。この実施態様によれば、台座部上に蓋部を載置する際に、堰部により蓋部を最適な位置に位置決めすることができる。また、リング状部材と台座部との係合により蓋部を台座部上に固定する際に、蓋部が紙製や薄手のプラスチック製などの柔らかい材質であると、リング状部材の締め付けにより、蓋部が内側に押し込まれる恐れがある。このとき、堰部がストッパーとして機能して蓋部が内側に押し込まれるのを防ぐことで、蓋部の形状を保持できる。また、このとき、蓋部の内周面が堰部の外周面と当接することで蓋部内をより良好に密閉することができる。
【００１４】
また、他の実施態様においては、前記連通部は、前記コンタクトリングに設けられていることを特徴としている。この実施態様によれば、簡単な構造で蓋部の収納空間の内外を連通する連通部を設けることができる。
【００１５】
他の実施態様において、前記台座部の上面には、前記薬剤の周囲に、前記薬剤から吐き出されて遊離した水分を貯留するための貯水溝が１つまたは複数設けられていることが好ましい。上記構成の薬剤揮散容器において、薬剤がゲル状の場合には、時間の経過と共に含有する水分が薬剤から吐き出されて遊離するが、この実施態様によれば、この遊離した水分を貯水溝に貯留することで、水分が薬剤揮散容器から漏れ出すことを防止できる。
【００１６】
他の実施態様においても、前記台座部の上面には、上面から突き出て前記蓋部の内壁面と対向する環状の堰部を設けることができ、さらに、前記１つまたは複数の貯水溝は、前記コンタクトリングと前記堰部との間に設けられていることが好ましい。この実施態様によれば、コンタクトリングと堰部との間で水分を保持することができ、水分がコンタクトリングを超えて滲み出すことを防止できるので、水分が薬剤揮散容器から漏れ出すことを良好に防止できる。
【００１７】
他の実施態様において、前記台座部は、前記フランジ部を囲繞する周壁部を有し、前記周壁部の下端部は、前記台座部の下面よりも突き出ており、かつ、前記リング状部材の係合時に前記リング状部材の下端部よりも下方に突き出ていることが好ましい。この実施態様によれば、台座部とリング状部材との係合時には台座部の周壁部の下端部がリング状部材の下端部よりも下方に突き出る。そのため、例えば薬剤揮散容器が誤って台上などに落下した場合においては、台座部が主に台などから衝撃を受ける。ここで、リング状部材の下端部が台座部の周壁部の下端部よりも下方に突き出ることで、落下時にリング状部材が主に台などから衝撃を受けると、リング状部材には台座部との係合が外れる上向きの力が作用するため、衝撃の度合いが大きいと、落下時の衝撃によりリング状部材が台座部から外れる恐れがあるが、この実施態様では、落下時の衝撃を主に台座部に作用させることで、リング状部材が台座部から外れることを防止できる。
【００１８】
本発明の上記したいずれの実施態様においても、前記台座部および前記リング状部材は、雌ネジ部および雄ネジ部の螺合により互いに係合され、前記台座部の下面には、前記台座部および前記リング状部材が係合する回転方向に向けて深く傾斜する溝が１つまたは複数設けられていることが好ましい。この実施態様によれば、リング状部材に対して台座部を回転させて両者を係合させる場合には、溝に指の爪などを引っ掛けて台座部を回転させれば、両者を容易に係合させることができる。一方で、両者の係合を外すためにリング状部材に対して台座部を上記とは反対方向に回転させる場合には、溝に指の爪などを引っ掛けても、爪などが溝上を滑って台座部を回転させることができず、両者の係合を外すことが困難となる。このように、この実施態様においては、リング状部材から台座部を取り外すことを防止できる。
【発明の効果】
【００１９】
本発明の薬剤揮散容器によれば、台座部と蓋部とを確実に固定することができるので、誤って薬剤揮散容器が倒れたりした場合でも、台座部と蓋部との固定が外れることがなく、蓋部内に収納された薬剤から吐き出されて遊離する水分が漏れ出すことを防止できる。また、フランジ部が台座部の上面とリング状部材とで挟持されることで、蓋部内を良好に密閉することができる。また、台座部に連通部を設ければ、使用前に蓋部内が減圧して蓋部の一部が凹むことを防止できる。また、蓋部を台座部上に固定する際、蓋部のフランジ部を、パッキンを介して台座部の上面とリング状部材とで挟持すれば、蓋部内をほぼ完全に密閉することができる。また、この際、台座部の薬剤を保持する保持支柱に連通部を設ければ、蓋部内をほぼ完全な密閉状態としたうえで、連通部を介して蓋部の収納空間の内外を空気が流通可能となる。
【図面の簡単な説明】
【００２０】
【図１】本発明の第１実施形態に係る薬剤揮散容器の縦断面図である。
【図２】図１の薬剤揮散容器の台座部およびリング状部材の係合部を拡大した拡大断面図である。
【図３】蓋部の正面図である。
【図４】台座部（鍔部材を除く）の斜め上方から見た斜視図である。
【図５】台座部（鍔部材を除く）の斜め下方から見た斜視図である。
【図６】台座部（鍔部材を除く）の側面図である。
【図７】図１の台座部（鍔部材を除く）の平面図である。
【図８】図１の台座部（鍔部材を除く）の底面図である。
【図９】図７のＢ−Ｂ線に沿う断面図である。
【図１０】図９の一部分を拡大して示す拡大断面図である。
【図１１】図７のＡ−Ａ線に沿う断面図である。
【図１２】鍔部材の斜め上方から見た斜視図である。
【図１３】鍔部材の斜め下方から見た斜視図である。
【図１４】鍔部材の平面図である。
【図１５】鍔部材の底面図である。
【図１６】鍔部材の側面図である。
【図１７】図１４のＣ−Ｃ線に沿う断面図である。
【図１８】リング状部材の斜め上方から見た斜視図である。
【図１９】リング状部材の斜め下方から見た斜視図である。
【図２０】リング状部材の平面図である。
【図２１】リング状部材の底面図である。
【図２２】リング状部材の側面図である。
【図２３】図２０のＤ−Ｄ線に沿う断面図である。
【図２４】図２３の一部分を拡大して示す拡大断面図である。
【図２５】本発明の第２実施形態に係る薬剤揮散容器の縦断面図である。
【図２６】図２５の台座部（鍔部材を除く）の斜視図である。
【図２７】図２５の台座部（鍔部材を除く）の側面図である。
【図２８】図２５の台座部（鍔部材を除く）の平面図である。
【図２９】図２５の台座部（鍔部材を除く）の底面図である。
【図３０】図２５の鍔部材および保持支柱の一部の斜め上方から見た斜視図である。
【図３１】（ａ）は従来例の薬剤揮散容器の斜視図であり、（ｂ）は（ａ）の縦断面図である。
【発明を実施するための形態】
【００２１】
以下、本発明の実施形態について、添付図面を参照して説明する。
【００２２】
（実施形態１）
図１は、本発明の第１実施形態に係る薬剤揮散容器１の縦断面図を示している。また、図２は、図１の薬剤揮散容器１の台座部３とリング状部材５との係合部６を拡大した拡大断面図である。第１実施形態の薬剤揮散容器１は、固形または半固形の薬剤２と、薬剤２を載置する台座部３と、台座部３上の薬剤２を覆う蓋部４と、台座部３上に蓋部４を固定するリング状部材５とを備えている。
【００２３】
薬剤２は、揮散性（薬効徐放性）を有し、空気中に揮散することで消臭、芳香などの薬効を奏するゲル状薬剤である。ゲル状薬剤は、例えば、水に、ゲル化剤、界面活性剤、揮散性物質、消臭・芳香成分などの薬剤成分を溶解または分散させたゾルをゲル化（固化または半固化）したものである。消臭・芳香成分としては、任意のものを採用することができ、例えば、天然香料や合成香料、両性界面活性剤系消臭剤、脂肪酸塩系消臭剤などを使用することができる。
【００２４】
蓋部４は、図１および図３に示すように、上端が閉じられ下端が開口したカップ状のものであり、内部に薬剤２を収納可能な収納空間４０を有している。蓋部４の下端開口の周縁には、外方に延出するフランジ部４５が一体に設けられている。蓋部４の周壁４１には、収納空間４０内の薬剤２を外部に揮散させるための揮散孔４２が少なくとも１つ（例えば３つ）設けられている。揮散孔４２は、薬剤揮散容器１の使用前は、カバー部材４３によって塞がれている。カバー部材４３は、蓋部４の周壁４１に所定形状（例えばＵ字状、コ字状、円弧状など）のミシン目４４を形成することで周壁４１に設けられ、ミシン目４４の両端を基部とし、ミシン目４４を破断してカバー部材４３を周壁４１に対して回動させることで、揮散孔４２が形成される。なお、各揮散孔４２は、蓋部４内に収納される薬剤２よりも上方位置に設けられるのが好ましい。また、蓋部４の大きさとしては、収納される薬剤２の外周面と内壁面との間に隙間が設けられるような大きさとするのが好ましい。これにより、揮散面積が拡大し、揮散した薬剤２が蓋部４の内壁面との間を通って上昇し、各揮散孔４２から外部に放出されるので、薬剤２の放出を円滑に行うことができる。上記した構成の蓋部４の材質は特に限定されるものではないが、容易に使い捨てできる点で、紙製（紙カップ）や薄手のプラスチック製（クリアカップ）であることが好ましい。
【００２５】
台座部３は、図１、図２および図４〜図１１に示すように、合成樹脂製であって、平面視円形状に形成されており、底壁部３０と、底壁部３０の周縁から立ち上がる環状の周壁部３１とを備えている。周壁部３１の内面の上部には、後述するリング状部材５の雄ネジ部５２と螺合する雌ネジ部３２が設けられている（図１を参照）。この雄ネジ部５２および雌ネジ部３２は、台座部３の周縁とリング状部材５とを係合させる係合部６を構成している。周壁部３１の下端部は、台座部３の下面よりも下方に突き出ている。
【００２６】
底壁部３０の中央部には、底壁部３０上に載置された薬剤２内に嵌合して薬剤２を底壁部３０上に保持するための保持支柱３３が設けられている。保持支柱３３は、本実施形態では、底壁部３０の上面から突き出る複数（図示例では４つ）の板状の保持板３３Ａからなり、各保持板３３Ａが底壁部３０の中央位置を中心に放射状に延びることで、薬剤２が周方向に回転するのが規制されている。また、保持支柱３３の上部には、円盤状の鍔部材３４が取り外し可能に設けられており、鍔部材３４により薬剤２が上下方向に移動するのが規制されている。
【００２７】
鍔部材３４は、図１２〜図１７に示すように、円盤部３４Ａと、中央に開口を有し円盤部３４Ａの下面から突き出る平面視円状の凹部３４Ｂと、上記開口の周縁に設けられ凹部３４Ｂの上面から突き出る円筒状部３４Ｃとを備えている。各保持板３３Ａの上部には、コ字状の溝３３Ｂが形成されることで係止片３３Ｃが設けられている。上記開口から各保持板３３Ａの上部を鍔部材３４に嵌め込み、各保持板３３Ａのコ字状の溝３３Ｂに凹部３４Ｂおよび円筒状部３４Ｃを嵌合させて係止片３３Ｃを円筒状部３４Ｃの上端に係止させることで、鍔部材３４が保持支柱３３に取り付けられる。また、この係合は保持支柱３３の各保持板３３Ａの弾性変形に基づいて行なわれるので、鍔部材３４を引っ張って各保持板３３Ａとの係合を解くことで、鍔部材３４を取り外すことができる。
【００２８】
図１、図２および図４〜図１１に戻って、底壁部３０の上面には、載置される薬剤２の直径よりも僅かに大きい内径を有する環状の環状壁３５が、底壁部３０の上面から突き出るようにして設けられている。また、環状壁３５の周囲には、環状壁３５よりも高さが低く、底壁部３０上に載置された蓋部４の内壁面と対向する環状の堰部３６が、底壁部３０の上面から突き出るようにして設けられている。さらに、堰部３６の周囲には、堰部３６よりも高さが低い環状のコンタクトリング３７が、底壁部３０の上面から突き出るようにして設けられている。
【００２９】
堰部３６は、蓋部４の下端開口の直径よりも僅かに小さい外径を有しており、蓋部４を底壁部３０上に載置する際に、蓋部４を最適な位置に位置させる位置決めとして機能する。また、後述するように、蓋部４を底壁部３０上に載置した状態で、リング状部材５と台座部３との係合により蓋部４を台座部３に固定する際に、蓋部４が紙製や薄手のプラスチック製などの柔らかい材質であると、リング状部材５の締め付けにより、蓋部４の周壁４１の下部が内側に押し込まれる恐れがある。このとき、堰部３６がストッパーとして機能して蓋部４の周壁４１の下部が内側に押し込まれるのを防ぐことで、蓋部４の周壁４１の形状を保持できる。また、このとき、蓋部４の内壁面が堰部３６の外周面と当接することで蓋部４の収納空間４０内を良好に密閉することができる。
【００３０】
コンタクトリング３７は、底壁部３０上に載置される蓋部４のフランジ部４５と対向する位置に設けられており、蓋部４が底壁部３０上に載置される際、フランジ部４５の下面がコンタクトリング３７の上面と当接する。後述するように、リング状部材５は、台座部３との係合時に蓋部４のフランジ部４５と対向する円環部５０を備えており（図１を参照）、台座部３のコンタクトリング３７とリング状部材５の円環部５０とでフランジ部４５を上下から挟持することで、蓋部４が確実に台座部３に固定される。これにより、使用時または使用前に薬剤揮散容器１が倒れたりした場合でも、台座部３と蓋部４との固定が外れることが防止される。また、フランジ部４５が台座部３のコンタクトリング３７とリング状部材５の円環部５０とで挟持されることで、蓋部４の収納空間４０内を液密に密閉することができる。
【００３１】
台座部３には、蓋部４の収納空間４０の内外を連通する連通部３８が設けられている。蓋部４の収納空間４０内が完全に密閉されていると、薬剤揮散容器１の使用前に収納空間４０内の酸素が消費されることで、収納空間４０内が減圧し、その結果、蓋部４の周壁４１の一部が凹むという問題が生じる。本実施形態では、連通部３８を介して蓋部４の収納空間４０の内外の空気の流通が可能になっているので、薬剤揮散容器１の使用前に収納空間４０内が減圧することを防止でき、よって、蓋部４の周壁４１が凹むことを防止できる。
【００３２】
本実施形態では、堰部３６の外周面に上端から下端まで上下方向に延びる第１の溝部３８Ａが形成されているともに、底壁部３０の上面に第１の溝部３８Ａと連続し、底壁部３０の上面を径方向にコンタクトリング３７を貫通して蓋部４外の周壁部３１まで延びる第２の溝部３８Ｂが形成されている。第１の溝部３８Ａは、堰部３６の外周面と蓋部４の内壁面との間に隙間を形成し、第２の溝部３８Ｂは、底壁部３０の上面（コンタクトリング３７）と蓋部４のフランジ部４５との間に隙間を形成しており、第１、第２の溝部３８Ａ，３８Ｂで蓋部４の収納空間４０の内外を連通している。
【００３３】
連通部３８の大きさや数は特に限定されず、台座部３に複数設けてもよい。また、連通部３８の形状は本実施形態のように溝部である必要はない。例えば、第２の溝部３８Ｂに代えてコンタクトリング３７に貫通孔を形成することによっても、上記貫通孔および第１の溝部３８Ａにより蓋部４の収納空間４０の内外を連通させることができる。また、底壁部３０の上面に堰部３６を設けない場合や、堰部３６の外周面と蓋部４の内壁面とが必ずしも当接しない場合には、第１の溝部３８Ａを設ける必要はなく、第２の溝部３８Ｂもしくはコンタクトリング３７に形成する上記貫通孔だけで、蓋部４の収納空間４０の内外を連通させることができる。
【００３４】
台座部３の底壁部３０の上面には、薬剤２の周囲に１つまたは複数の貯水溝３９が形成されている。本実施形態では、コンタクトリング３７と堰部３６との間に、複数の貯水溝３９が周方向に沿って所定間隔をあけて並設されており、各貯水溝３９は、堰部３６の下端から底壁部３０の上面を放射状にコンタクトリング３７の手前まで延びている。この貯水溝３９は、薬剤２から発散された水分を貯留するためのものである。薬剤２がゲル状の場合には、時間の経過とともにゲル状薬剤２が保持する水分の一部が吐き出される。吐き出された水分は、蓋部４の内壁面に付着し、内壁面を流下した後、堰部３６の内外に分散されるが、堰部３６の外側に分散された一部の水分は、堰部３６の外周面に形成された複数の縦溝３６Ａを介してコンタクトリング３７との間の底壁部３０上に排出される。このとき、本実施形態では、底壁部３０の上面に、各縦溝３６Ａに対応するように貯水溝３９が形成されているので、排出された水分が各貯水溝３９に貯留される。これにより、排出された水分がコンタクトリング３７を越えて滲み出すのが防止されるため、薬剤揮散容器１の外側へ水分が漏れ出すのを防止することができる。なお、貯水溝３９の形状や大きさ、数は特に限定されず、種々の形状や大きさ、数に設定することができる。
【００３５】
台座部３の下面には、雄ネジ部５２および雌ネジ部３２の螺合により、台座部３およびリング状部材５が係合する回転方向に向けて深く入り込む溝６０が少なくとも１つ（例えば３つ）設けられている。このような構成の溝６０は、台座部３およびリング状部材５が係合する回転方向に向けて深く傾斜する傾斜面６１と、傾斜面６１の先端に位置する鉛直面６２とを備えており、リング状部材５に対して台座部３を回転させて両者を係合させる場合には、台座部３の鉛直面６２に指の爪などを引っ掛けて台座部３を回転させれば、両者を容易に係合させることができる。一方で、両者の係合を外すためにリング状部材５に対して台座部３を上記とは反対方向に回転させる場合には、台座部３の傾斜面６１に指の爪などを引っ掛けても、爪などが傾斜面６１上を滑って台座部３を回転させることができないため、両者の係合を外すことが困難になっている。このように本実施形態では、台座部３からリング状部材５が容易に取り外されることが防止されている。
【００３６】
次に、リング状部材５は、図１、図２および図１８〜図２４に示すように、合成樹脂製であって、平面視円形状に形成されており、環状の円環部５０と、円環部５０を囲繞するように設けられ円環部５０に一体に設けられた環状の囲繞部５１とを備えている。円環部５０の外周面には、台座部３（周壁部３１）の内周面に設けられた雌ネジ部３２と螺合する雄ネジ部５２が設けられており、台座部３とリング状部材５との係合時、台座部３の周壁部３１はリング状部材５の円環部５０と囲繞部５１との間に位置している。円環部５０の下部内周面には、上下方向に延びる複数のリブ５３が周方向に所定の間隔をあけて設けられており、円環部５０の下部部分を補強している。円環部５０は、リング状部材５と台座部３との係合時に蓋部４のフランジ部４５と対向し、台座部３のコンタクトリング３７とでフランジ部４５を上下から挟持する。
【００３７】
囲繞部５１は、台座部３とリング状部材５との係合時、台座部３の周壁部３１を覆う化粧用のカバーであり、使用者が台座部３の周壁部３１を回してリング状部材５と台座部３との係合を誤って外すことがないよう、周壁部３１に直接触れることを防止している。囲繞部５１は、その下端部が円環部５０の下端部よりも下方に長く延び、かつ、台座部３とリング状部材５との係合時に台座部３の周壁部３１の下端部よりも上方に位置するように、その長さが設定されている。これにより、台座部３とリング状部材５との係合時には台座部３の周壁部３１の下端部がリング状部材５の囲繞部５１の下端部よりも下方に突き出るため、例えば薬剤揮散容器１が誤って台上などに落下した場合において、台座部３が主に台などから衝撃を受ける。ここで、リング状部材５の囲繞部５１の下端部が台座部３の周壁部３１の下端部よりも下方に突き出ている場合は、落下時にリング状部材５が主に台などから衝撃を受けると、リング状部材５には台座部３との係合が外れる上向きの力が作用するため、衝撃の度合いが大きいと、落下時の衝撃によりリング状部材５が台座部３から外れる恐れがあるが、囲繞部５１が周壁部３１の下端部よりも上方に位置している本実施形態では、落下時の衝撃を主に台座部３に作用させることで、リング状部材５が台座部３から外れるのを防止している。
【００３８】
上記構成の第１実施形態の薬剤揮散容器１においては、使用前は薬剤２が蓋部４内に密閉されている一方、使用に際しては、ミシン目４４を破断しカバー部材４３を開いて揮散孔４２を形成することで、各揮散孔４２より揮散した薬剤２が外部に放出される。このとき、形成する揮散孔４２の数を適宜選択することで、外部に放出される薬剤２の揮散量や匂いの強さを調節できる。また、薬剤２は蓋部４内の揮散孔４２よりも下方に位置し、薬剤２が直接手で触れられることが防止されているので、幼児などに対する安全性が高い。
【００３９】
第１実施形態の薬剤揮散容器１によれば、蓋部４の下端開口を塞ぐ台座部３に対して上方からリング状部材５を被せ、リング状部材５と台座部３の周縁とを係合させることにより、蓋部４内を密閉した状態で蓋部４を台座部３上に固定することができる。このとき、蓋部４は、フランジ部４５が台座部３の上面（コンタクトリング３７）とリング状部材５の円環部５０とで上下から挟持されているので、蓋部４を確実に台座部３に固定できる。よって、使用前や使用中に誤って薬剤揮散容器１が倒れたりした場合でも、台座部３と蓋部４との固定が外れることがなく、また、蓋部４内に収納された薬剤２から発散された水分が外部に漏れる量を抑制できる。また、フランジ部４５が台座部３の上面（コンタクトリング３７）とリング状部材５の円環部５０とで挟持されることで、蓋部４内を良好に密閉することができる。
【００４０】
また、台座部３には、蓋部４の収納空間４０の内外を連通する連通部３８（第１、２の溝部３８Ａ，３８Ｂ）が設けられ、連通部３８（第１、２の溝部３８Ａ，３８Ｂ）を介して収納空間４０の内外を空気が流通可能になっているので、薬剤揮散容器１の使用前の酸素の消費によって蓋部４内が減圧することが防止され、その結果、蓋部４の一部が凹むことを防止できる。よって、薬剤揮散容器１の見栄えが悪くなることを防止できるため、薬剤２が蓋部４内に未だ残っている未使用の状態で薬剤揮散容器１が廃棄処分されてしまうようなことも防止できる。
【００４１】
また、台座部３の上面には、貯水溝３９が複数設けられているので、時間の経過と共に薬剤２から含有する水分が発散されても、この発散される水分を各貯水溝３９に貯留することができる。これにより、水分がコンタクトリング３７を超えて薬剤揮散容器１から漏れ出すことを防止できる。
【００４２】
また、台座部３の上面には、蓋部４の内壁面と対向する堰部３６が設けられているので、台座部３上に蓋部４を載置する際に、堰部３６により蓋部４を最適な位置に位置決めすることができる。また、リング状部材５と台座部３との係合により蓋部４を台座部３上に固定する際に、蓋部４が紙製や薄手のプラスチック製などの柔らかい材質であると、リング状部材５の締め付けにより、蓋部４が内側に押し込まれる恐れがあるが、このとき、堰部３６がストッパーとして機能して蓋部４が内側に押し込まれるのが防止されるので、蓋部４の形状を保持できる。また、このとき、蓋部４の内壁面が堰部３６の外周面と当接することで蓋部４内をより良好に密閉することができる。
【００４３】
また、台座部３の下面には、台座部３およびリング状部材５が係合する回転方向に向けて深く入り込む溝６０が設けられているので、リング状部材５に対して台座部３を回転させて両者を係合させる場合には、溝６０の鉛直面６２に指の爪などを引っ掛けて台座部３を回転させれば、両者を容易に係合させることができる。一方で、両者の係合を外すためにリング状部材５に対して台座部３を上記とは反対方向に回転させる場合には、溝６０に指の爪などを引っ掛けても、爪などが溝６０の傾斜面６１上を滑るために台座部３を回転させることができず、両者の係合を外すことが困難となる。よって、リング状部材５から台座部３を容易に取り外すことを防止できる。
【００４４】
以上、本発明の第１実施形態について説明したが、第１実施形態の具体的な態様は上記した態様に限定されない。例えば、上記した実施形態では、台座部３の底壁部３０の上面に、薬剤２の周囲を囲む環状壁３５が設けられているが、必ずしも環状壁３５を設ける必要はない。また、台座部３の底壁部３０の上面に、環状壁３５の周囲を囲む堰部３６が設けられているが、必ずしも堰部３６を設ける必要はない。また、台座部３の底壁部３０の上面にコンタクトリング３７を設け、コンタクトリング３７とリング状部材５の円環部５０とで蓋部４のフランジ部４５を上下から挟持しているが、必ずしもコンタクトリング３７を設ける必要はなく、台座部３の底壁部３０の上面とリング状部材５の円環部５０とで蓋部４のフランジ部４５を上下から挟持するようにしてもよい。また、連通部３８を台座部３に設けているが、必ずしも台座部３に設ける必要はなく、蓋部４がプラスチック製などである場合には、蓋部４の上端面にピンホールを形成することで、このピンホールを連通部３８として機能させてもよい。
【００４５】
（第２実施形態）
次に、本発明の第２実施形態について、図２５〜図３０を参照しつつ説明する。第２実施形態の薬剤揮散容器１０が、第１実施形態の薬剤揮散容器１と相違するのは台座部の構成であり、第２実施形態の薬剤揮散容器１０も、薬剤２を載置する台座部７の他、台座部７上の薬剤２を覆う蓋部４と、台座部７上に蓋部４を固定するリング状部材５とを備えている。なお、第２実施形態の薬剤揮散容器１０の構成において、上記した第１実施形態の構成と対応する構成については同一の符号を付することで説明を省略する。
【００４６】
台座部７は、図２５〜図２９に示すように、第１実施形態と同様、合成樹脂製であって、平面視円形状に形成されており、底壁部３０と、底壁部３０の周縁から立ち上がる環状の周壁部３１とを備えている。周壁部３１の内面の上部には、係合部６を構成する雌ネジ部３２が設けられており、リング状部材５の雄ネジ部５２と螺合することで、台座部７とリング状部材５とが固定される。周壁部３１の下端部は、台座部７の下面よりも下方に突き出ている。
【００４７】
底壁部３０の中央部には、底壁部３０上に載置された薬剤２内に嵌合して薬剤２を底壁部３０上に保持するための保持支柱７３が設けられている。保持支柱７３は、第２実施形態では、底壁部３０の上面から突き出る円筒状の筒状体７３Ａを備え、その上部が薬剤２を貫通して薬剤２から露出している。筒状体７３Ａの下部には、複数（図示例では３つ）の板状の規制板７３Ｂが筒状体７３Ａを中心に放射状に設けられており、薬剤２が周方向に回転するのが規制されている。また、筒状体７３Ａには、鍔部材７４が取り外し可能に設けられており、鍔部材７４により薬剤２が上下方向に移動するのが規制されている。
【００４８】
鍔部材７４は、図３０に示すように、中央に開口を有する円盤状のものである。筒状体７３Ａは、外周面に複数の係止片７３Ｄが設けられているとともに、各係止片７３Ｄの下方に径の大きい段差部７３Ｃが設けられており、筒状体７３Ａの各係止片７３Ｄと段差部７３Ｃとの間に鍔部材７４の開口を嵌合させて係止片７３Ｄを鍔部材７４の上面に係止させることで、鍔部材７４が筒状体７３Ａに取り付けられる。また、鍔部材７４を上方に引き抜くことで、筒状体７３Ａから取り外すことができる。
【００４９】
筒状体７３Ａは、台座部７の底壁部３０の中央部が隆起するようにして上方に延びており、その内部は中空であり、かつ、その下端は開口７３Ｅとなっている。筒状体７３Ａの上端面には、その中央部に連通孔３８Ｃが形成されている。この連通孔３８Ｃは、連通部３８を構成しており、第２実施形態では、連通孔３８Ｃおよび筒状体７３Ａ内の空洞３８Ｄで蓋部４の収納空間４０の内外を連通している。筒状体７３Ａの外形の大きさは、特に限定されるものではなく、適宜設定することができるが、小さければ小さいほど、その分、薬剤２の容積が増大するので好ましい一方、小さ過ぎると、筒状体７３Ａが折れやすくなる。また、連通孔３８Ｃの径も、特に限定されるものではなく、適宜設定することができる。
【００５０】
底壁部３０の上面には、載置される薬剤２の直径よりも僅かに大きい内径を有する環状の環状壁３５が、底壁部３０の上面から突き出るようにして設けられている。また、環状壁３５の周囲には、環状壁３５よりも高さが低く、底壁部３０上に載置された蓋部４の内壁面と対向する環状の堰部３６が、底壁部３０の上面から突き出るようにして設けられている。
【００５１】
堰部３６は、第１実施形態と同様、蓋部４の下端開口の直径よりも僅かに小さい外径を有しており、蓋部４を底壁部３０上に載置する際に、蓋部４を最適な位置に位置させる位置決めとして機能する。また、蓋部４を底壁部３０上に載置した状態で、リング状部材５と台座部７との係合により蓋部４を台座部７に固定する際に、堰部３６がストッパーとして機能して蓋部４の周壁４１の下部が内側に押し込まれるのを防ぐことで、蓋部４の周壁４１の形状を保持できる。このとき、蓋部４の内壁面が堰部３６の外周面と当接することで蓋部４の収納空間４０内を良好に密閉することができる。
【００５２】
堰部３６の周囲の底壁部３０の上面には、圧縮可能なリング状のパッキン７０が設けられている。パッキン７０は、その内径が堰部３６の外径とほぼ同じであるとともに、その外径が周壁部３１の内径とほぼ同じに形成されており、堰部３６と周壁部３１との間に嵌め込まれている。蓋部４が底壁部３０上に載置される際、フランジ部４５の下面がパッキン７０の上面と当接し、フランジ部４５は、パッキン７０を介して底壁部３０とリング状部材５の円環部５０とで上下から挟持される。これにより、蓋部４が確実に台座部７に固定されるので、使用時または使用前に薬剤揮散容器１０が倒れたりした場合でも、台座部７と蓋部４との固定が外れることが防止されるうえ、フランジ部４５が台座部７上のパッキン７０と当接することで、フランジ部４５が密栓されて蓋部４の収納空間４０内が連通部３８を除いてほぼ完全に密閉されるので、蓋部４の収納空間４０内に貯留される薬剤２から発散された水分が薬剤揮散容器１０の外側へ漏れるのを完全に防止することができる。パッキン７０の材質としては、例えばポリプロエチレン等を好ましく例示することができる。
【００５３】
なお、本実施形態では、堰部３６の周囲のフランジ部４５と対向する位置にパッキン７０を設けているが、パッキン７０に代えて、第１実施形態と同様に、堰部３６よりも高さが低い環状のコンタクトリング３７を設け、コンタクトリング３７とリング状部材５の円環部５０とでフランジ部４５を上下から挟持するようにしてもよい。これによっても、蓋部４を確実に台座部７に固定できるうえ、フランジ部４５がコンタクトリング３７とリング状部材５の円環部５０とで挟持されるので、蓋部４の収納空間４０内を液密に密閉することができる。
【００５４】
台座部７の下面には、溝６３が少なくとも１つ（例えば３つ）設けられている。各溝６３は、本実施形態では、台座部７およびリング状部材５が係合する回転方向の両端が鉛直面６４となっており、リング状部材５に対して台座部７を回転させて両者を係合させる場合、および、両者の係合を外すためにリング状部材５に対して台座部７を上記とは反対方向に回転させる場合の双方において、溝６３の鉛直面６４に指の爪などを引っ掛けて台座部７を回転させやすくなっている。なお、台座部７の下面の各溝６３は、第１実施形態と同様に、台座部７およびリング状部材５が係合する回転方向に向けて深く入り込むように形成することもできる。
【００５５】
第２実施形態の薬剤揮散容器１０においては、リング状部材５の囲繞部５１は、その下端部が円環部５０の下端部よりも下方に長く延びているが、台座部７とリング状部材５との係合時には、第１実施形態とは異なり、台座部７の周壁部３１の下端部よりも下方に位置するように、その長さが設定されている。これにより、台座部７とリング状部材５との係合時にはリング状部材５の囲繞部５１の下端部が、台座部７の周壁部３１の下端部よりも下方に突き出るため、薬剤揮散容器１０を台などの上に置いた際に、台座部７の底壁部３０の下面が宙に浮き、保持支柱７３（筒状体７３Ａ）の下端の開口７３Ｅが閉鎖されるのが防止されている。また、リング状部材５の囲繞部５１の下端部は、凸部５４と凹部５５とが交互に連続して配された略波形状に形成されており、各凹部５５が薬剤揮散容器１０を台などの上に置いた際に、空気の通気孔８として機能する（図１８〜図２３に示す）。これにより、連通部３８（連通孔３８Ｃおよび空洞３８Ｄ）を介して蓋部４の収納空間４０の内外を空気が良好に通気可能になっている。なお、本実施形態では、リング状部材５の囲繞部５１の下端部を略波形状に形成しているが、リング状部材５の囲繞部５１の下端部に凹部５５が形成されるのであれば、種々の形状に形成することができる。また、リング状部材５の囲繞部５１の下端部に凹部５５を形成することで、リング状部材５に通気孔８を形成しているが、リング状部材５の囲繞部５１に貫通口を形成することで、この貫通口を通気孔８として機能させてもよい。
【００５６】
この第２実施形態の薬剤揮散容器１０によれば、蓋部４を台座部７上に固定する際、蓋部４は、フランジ部４５がパッキン７０を介して台座部７の上面とリング状部材５の円環部５０とで上下から挟持されるので、蓋部４を確実に台座部７に固定でき、かつ、蓋部４の収納空間４０内をほぼ完全に密閉することができる。よって、使用前や使用中に誤って薬剤揮散容器１０が倒れたりした場合でも、台座部７と蓋部４との固定が外れることがないうえ、その際、蓋部４内に貯留された薬剤２から発散された水分が外部に漏れることを完全に防止できる。
【００５７】
また、台座部７の保持支柱７３に、蓋部４の収納空間４０の内外を連通する連通部３８（連通孔３８Ｃ，空洞３８Ｄ）を設けることで、第１実施形態と比較して、蓋部４の収納空間４０内をほぼ完全な密閉状態としたうえで、連通部３８（連通孔３８Ｃ，空洞３８Ｄ）を介して収納空間４０の内外を空気が流通可能になっている。よって、薬剤揮散容器１０の使用前の酸素の消費によって蓋部４内が減圧することが防止される結果、蓋部４の一部が凹むことを防止でき、薬剤揮散容器１０の見栄えが悪くなることを防止できるため、薬剤２が蓋部４内に未だ残っている未使用の状態で薬剤揮散容器１０が廃棄処分されてしまうようなことも防止できる。
【００５８】
以上、本発明の第２実施形態について説明したが、第２実施形態の具体的な態様は上記した態様に限定されない。例えば、上記した実施形態では、台座部７の底壁部３０の上面に、薬剤２の周囲を囲む環状壁３５が設けられているが、必ずしも環状壁３５を設ける必要はない。また、台座部７の底壁部３０の上面に、環状壁３５の周囲を囲む堰部３６が設けられているが、必ずしも堰部３６を設ける必要はない。また、連通部３８を台座部７の保持支柱７３に設けているが、必ずしも台座部７に設ける必要はなく、蓋部４がプラスチック製などである場合には、蓋部４の上端面にピンホールを形成することで、このピンホールを連通部３８として機能させてもよい。
【符号の説明】
【００５９】
１，１０    薬剤揮散容器
２    薬剤
３，７  台座部
４    蓋部
５    リング状部材
８    通気孔
３１  周壁部
３２  雌ネジ部
３６  堰部
３７  コンタクトリング
３８  連通部
３８Ａ  第１の溝
３８Ｂ  第２の溝
３８Ｃ  連通孔
３８Ｄ  空洞
３９  貯水溝
４０  収納空間
４１  周壁
４２  揮散孔
４５  フランジ部
５２  雄ネジ部
６０，６３  溝
７０  パッキン
７３  保持支柱
７３Ａ  筒状体
【図２】
2014050666.tif 000003
【図３】
2014050666.tif 000004
【図１２】
2014050666.tif 000005
【図１３】
2014050666.tif 000006
【図１４】
2014050666.tif 000007
【図１５】
2014050666.tif 000008
【図１６】
2014050666.tif 000009
【図１】
2014050666.tif 000010
【図４】
2014050666.tif 000011
【図５】
2014050666.tif 000012
【図６】
2014050666.tif 000013
【図７】
2014050666.tif 000014
【図８】
2014050666.tif 000015
【図９】
2014050666.tif 000016
【図１０】
2014050666.tif 000017
【図１１】
2014050666.tif 000018
【図１７】
2014050666.tif 000019
【図１８】
2014050666.tif 000020
【図１９】
2014050666.tif 000021
【図２０】
2014050666.tif 000022
【図２１】
2014050666.tif 000023
【図２２】
2014050666.tif 000024
【図２３】
2014050666.tif 000025
【図２４】
2014050666.tif 000026
【図２５】
2014050666.tif 000027
【図２６】
2014050666.tif 000028
【図２７】
2014050666.tif 000029
【図２８】
2014050666.tif 000030
【図２９】
2014050666.tif 000031
【図３０】
2014050666.tif 000032
【図３１】
2014050666.tif 000033